(57)【要約】【課題】他の家電機器と連携をとって動作をする家電機器において、ユーザが他の家電機器と家電機器とが連携して動作している事に気付かない場合がある。【解決手段】他の家電機器と連携した連携動作を行う家電機器において、他の家電機器との連携動作を行っていることを表わす連携表示以外の表示をさせるために家電機器に設けられた表示部を含み、表示部は、家電機器が連携動作を行う場合に、連携表示を行うことを特徴とする家電機器。【選択図】図３
2020191023.tif 000002
【特許請求の範囲】
【請求項１】
他の家電機器と連携した連携動作を行う家電機器において、
前記他の家電機器との前記連携動作を行っていることを表わす連携表示以外の表示をさせるために前記家電機器に設けられた表示部を含み、
前記表示部は、前記家電機器が前記連携動作を行う場合に、前記連携表示を行うことを特徴とする家電機器。
【請求項２】
前記表示部は、前記家電機器の本体に設けられていることを特徴とする請求項１に記載の家電機器。
【請求項３】
前記家電機器が前記他の家電機器と連携動作を行っている場合、前記表示部の前記連携表示の方法は、前記他の家電機器に設けた他の表示部の前記連携表示の方法と同じであることを特徴とする請求項１に記載の家電機器。
【請求項４】
互いに連携した連携動作を行う家電機器及び他の家電機器を含み、
前記家電機器は、前記他の家電機器との前記連携動作を行っていることを表わす連携表示以外の表示をさせるために設けられた表示部を含み、
前記他の家電機器は、前記家電機器との前記連携動作を行っていることを表わす連携表示以外の表示をさせるために設けられた他の表示部を含み、
前記家電機器と前記他の家電機器とが前記連携動作を行う場合、前記表示部と前記他の表示部とは、前記連携表示を行うことを特徴とする家電機器システム。
【請求項５】
さらに、前記家電機器と前記他の家電機器とに接続され、前記表示部及び前記他の表示部を制御する制御部を備えたサーバを含み、
前記制御部は、前記連携表示を、前記表示部及び前記他の表示部に行わせることを特徴とする請求項４に記載の家電機器システム。
【発明の詳細な説明】
【技術分野】
【０００１】
本発明は、家電機器及び家電機器システムに関する。
【背景技術】
【０００２】
特許文献１には、室内環境の指標を検出する検出部と、検出された指標に基づいて室内状況を判断して、加湿機の運転を制御する制御部とを備えている空気調和機が開示されている。特許文献１に記載の空気調和機において、制御部は、暖房運転の開始と同時に加湿機に加湿運転を行わせる。
【先行技術文献】
【特許文献】
【０００３】
【特許文献１】特開２０１４−７０８８２号公報
【発明の概要】
【発明が解決しようとする課題】
【０００４】
しかしながら、上記特許文献１に記載の空気調和機において、空気調和機の制御部は、暖房運転の開始と同時に加湿機に加湿運転を行わせるような、家電機器が他の家電機器と連絡を取り合って、一緒に動作する場合（以下このような動作を「連携」という。）に、ユーザが空気調和機と加湿機が連携している事に気付かない場合がある。
【課題を解決するための手段】
【０００５】
本発明の一態様に係る他の家電機器と連携した連携動作を行う家電機器は、他の家電機器との連携動作を行っていることを表わす連携表示以外の表示をさせるために家電機器に設けられた表示部を含み、表示部は、家電機器が連携動作を行う場合に、連携表示を行うことを特徴とする。
【図面の簡単な説明】
【０００６】
【図１】第１の実施形態における、システム全体の制御ブロックの一例を示す図である。
【図２】（ａ）第１の実施形態における、エアコンの制御部の機能的構成の一例を示す図である。（ｂ）第１の実施形態における、サーバの制御部の機能的構成の一例を示す図である。（ｃ）第１の実施形態における、加湿機の制御部の機能的構成の一例を示す図である。
【図３】第１の実施形態における、処理フローの一例を示す図である。
【図４】第１の実施形態における、表示部の表示方法の一例を示す図である。
【図５】第１の実施形態における、連携情報テーブルの一例を示す図である。
【発明を実施するための形態】
【０００７】
以下、本発明の第１の実施形態について、図面を参照しつつ説明する。なお、図面については、同一又は同等の要素には同一の符号を付し、重複する説明は省略する。
＜第１の実施形態＞
【０００８】
図１は、第１の実施形態にかかるシステム全体の構成、及び各構成機器の制御系の要部を示す制御ブロック図の一例を示す図である。
【０００９】
まず、図１に基づいて本実施形態にかかる家電機器システム１全体の構成について説明する。
【００１０】
家電機器システム１は、例えば、家電機器（加湿機１００）、他の家電機器（エアコン１１０）、及びサーバ１２０を含む。家電機器は、他の家電機器と連携して動作する。家電機器、他の家電機器、及びサーバ１２０は、ネットワーク１３０を介して接続される。
【００１１】
家電機器及び他の家電機器は、家庭で使用される電気器具であって、例えば、加湿機、エアコン、空気清浄機、テレビ等がある。本実施形態では、一例として、家電機器が加湿機１００であり、他の家電機器がエアコン１１０である場合を説明する。なお、家電機器、及び他の家電機器は、それぞれ加湿機１００、エアコン１１０に限定されず、他の電気器具であってもよい。
【００１２】
サーバ１２０は、情報処理、データの記憶等を行うコンピュータシステムである。なお、サーバ１２０は、単一の装置で構成されていてもよいし、複数の装置に分散して構成されていてもよい。また、サーバ１２０は、クラウドコンピュータであってもよい。
【００１３】
ネットワーク１３０は、通信回線であって、家電機器、他の家電機器、及びサーバ１２０を相互に接続する。ネットワーク１３０は、有線通信であってもよいし、無線通信であってもよいし、有線通信と無線通信とが混在していてもよい。無線通信の規格として、例えばWi-Fi（登録商標）、Bluetooth（登録商標）等がある。
【００１４】
加湿機１００は、例えば、加湿機制御部１０１、記憶部１０２、通信部１０３、操作部１０４、加湿機表示部１０５、加湿部１０６、モータ１０７及び、湿度センサ１０８を含む。加湿機１００は、本体１０９をさらに備えている。本体１０９は、例えば筐体であって、加湿機制御部１０１、記憶部１０２、通信部１０３、操作部１０４、加湿機表示部１０５、加湿部１０６、モータ１０７及び、湿度センサ１０８が設けられている。
【００１５】
加湿機制御部１０１は、プロセッサであって、例えばＭＣＵ（Ｍｉｃｒｏ  Ｃｏｔｒｏｌｌｅｒ  Ｕｎｉｔ）である。加湿機制御部１０１は、記憶部１０２に格納されるプログラムに従って各種の情報処理を実行する。記憶部１０２は、例えばフラッシュメモリであって、加湿機制御部１０１で実行するプログラム及びデータを記憶する。加湿機制御部１０１が実行するプログラム及びデータは、例えば、加湿機１００の製造時に記憶されるが、ネットワーク１３０を介してダウンロードされてもよい。本実施形態では、記憶部１０２は、加湿機制御部１０１と別に構成されているが、加湿機制御部１０１と一体に構成されていてもよい。通信部１０３は、ＬＡＮカード（ＬＡＮ：Ｌｏｃａｌ  Ａｒｅａ  Ｎｅｔｗｏｒｋ）、Ｗｉ−Ｆｉアダプタ等のネットワークインターフェースであって、ネットワーク１３０に接続されている。通信部１０３は、ネットワーク１３０を介して、エアコン１１０（他の家電機器）、及びサーバ１２０との間で情報の送受信を行う。
【００１６】
加湿機表示部１０５は、加湿機１００の動作状態を表示するように構成されている。加湿機表示部１０５は、例えば、加湿機１００が動作中であるか否かを示す通常表示を行う運転ランプを含む。運転ランプは、例えば、例えばＬＥＤ（Ｌｉｇｈｔ  Ｅｍｉｔｔｉｎｇ  Ｄｉｏｄｅ）である。本実施形態では、加湿機表示部１０５は、通常表示に加えて、エアコン１１０との連携動作を行っていることを示す連携表示を行うように構成されている。加湿機表示部１０５は、家電機器（加湿機１００）と他の家電機器（エアコン１１０）との非連携時は、通常表示を行う。加湿機表示部１０５は、家電機器（加湿機１００）と他の家電機器（エアコン５）との連携時に、連携表示を行う。
【００１７】
つまり、加湿機表示部１０５は、他の家電機器（例えば、エアコン１１０）と連携して動作していることを表わす連携表示以外の表示をさせるために設けられた表示部であるが、本実施形態では、連携表示の機能を兼用している。すなわち、加湿機表示部１０５（運転ランプ）は、加湿機１００（家電機器）が動作中であることを示すために設けられているが、さらにエアコン１１０（他の家電機器）と連携動作中であることを示すように設けられている。加湿機表示部１０５は、例えば、家電機器である加湿機１００の本体１０９に設けられている。加湿機表示部１０５は、加湿機制御部１０１からの指示に従って表示を行う。なお、加湿機表示部１０５が運転ランプを含む場合について説明したが、これに限定されるものではない。例えば、加湿機表示部１０５は、本体１０９に吸い込んだ空気のホコリのレベル（量又は割合）に応じた表示をするダスト表示器を含んでいても良い。例えば、ダスト表示器は複数のＬＥＤを直線上に並べたＬＥＤアレイで構成される。ダスト表示器は、本体１０９に吸い込んだ空気に含まれるホコリのレベル（量又は割合）が上がるに従い、点灯するＬＥＤの数が増加する。
【００１８】
操作部１０４は、ユーザの指示操作を受けて、当該指示操作の内容を加湿機制御部１０１に出力する。操作部１０４は、例えば加湿機１００を起動、停止する電源スイッチである。具体的には、例えば、押しボタンスイッチである。
【００１９】
加湿部１０６は、加湿機１００が吸い込んだ空気に水分を与える。具体的には、加湿部１０６は、例えば加湿機１００に設けた水を溜める水槽と、水を加熱するヒータを含む。ヒータは駆動回路を介して加湿機制御部１０１に接続される。駆動回路は、加湿機制御部１０１からの信号に基づいてヒータを駆動することにより、ヒータを加熱する。そしてヒータが加熱することで水槽に溜められた水が蒸発し、加湿機１００が吸い込んだ空気に水分が与えられる。
【００２０】
モータ１０７は、加湿機制御部１０１からの信号により回転駆動する。具体的には、モータ１０７にはファンが連結される。モータ１０７が回転駆動することで、ファンが回転する。これにより、加湿機１００の本体１０９の外部から空気が吸い込まれる。そして、本体１０９の内部に吸い込まれた空気は、加湿部１０６によって水分が与えられた後、本体１０９の外部に吹出される。
【００２１】
湿度センサ１０８は、空気中の湿度を検知するセンサである。湿度センサ１０８は、検知した湿度に応じた信号を、加湿機制御部１０１に出力する。
【００２２】
エアコン１１０は、例えば、エアコン制御部１１１、記憶部１１２、通信部１１３、受信部１１４、エアコン表示部１１５、モータ１１６、圧縮機１１７、温度センサ１１８及び、湿度センサ１１９を含む。なお、エアコン制御部１１１、記憶部１１２、通信部１１３、エアコン表示部１１５、湿度センサ１１９は、加湿機制御部１０１、記憶部１０２、加湿機表示部１０５、湿度センサ１０８と同様の構成である。
【００２３】
受信部１１４は、リモコンからの情報を受信する。リモコンは、例えば赤外線によって、情報をエアコン１１０に送る。リモコンは、ユーザからの指示操作を受けて、エアコン１１０に当該指示操作の内容を示す情報を送る。具体的には、例えば、ユーザがリモコンの電源ボタンを押すと、リモコンは、エアコン１１０に電源ボタンが押されたこと示す情報を送信する。そして、受信部１１４は、電源ボタンが押されたこと示す情報を受信する。
【００２４】
圧縮機１１７は、冷媒配管で接続された室内熱交換器、及び室外熱交換器の間を循環する冷媒を圧縮する。室内熱交換器は、室内の空気と冷媒の間で熱を交換する。室外熱交換器は、室外の空気と冷媒の間で熱を交換する。圧縮機１１７は、エアコン制御部１１１からの信号により駆動されることにより、冷媒を圧縮する。
【００２５】
モータ１１６は、エアコン制御部１１１からの信号により回転駆動する。モータ１１６に連結されたファン（図示せず）が回転することで空調対象である室内の空気を吸い込む。吸い込んだ空気は、室内熱交換器を通過することで、冷媒と室内の空気との間で熱交換される。そして熱交換された空気は、空調対象である室内に吹出される。
【００２６】
温度センサ１１８は、空気の温度を検知するセンサである。具体的には、例えば、室内の空気を取り込むエアコン１１０の吸い込み口に設けられ、室内の空気の温度を検知する。温度センサ１１８は、検知した温度に応じた信号を、エアコン制御部１１１に出力する。
【００２７】
サーバ１２０は、例えば、サーバ制御部１２１、記憶部１２２、及び通信部１２３を含んで構成される。なお、通信部１２３は、通信部１０３と同様の構成である。サーバ１２０は、ネットワーク１３０を介して加湿機１００とエアコン１１０とに接続されている。
【００２８】
サーバ制御部１２１は、プロセッサであって、例えばＭＰＵ（Ｍｉｃｒｏ−ｐｒｏｃｅｓｓｉｎｇ  Ｕｎｉｔ）である。サーバ制御部１２１は、記憶部１２２に格納されるプログラムに従って各種の情報処理を実行する。記憶部１２２は、例えばハードディスクであって、サーバ制御部１２１で実行するプログラム及びデータを記憶する。サーバ制御部１２１が実行するプログラム及びデータは、例えば、サーバ１２０の製造時に記憶されるが、ネットワーク１３０を介してダウンロードされてもよい。
【００２９】
なお、図１に示した家電機器システム１の構成は、一例であって、これに限定されるものではない。
【００３０】
図２の（ａ）〜（ｃ）は、それぞれ、本実施形態におけるエアコン制御部１１１、サーバ制御部１２１、加湿機制御部１０１のブロック図である。例えば、図２の（ａ）に示すように、エアコン制御部１１１は、エアコン動作制御部２０１及びエアコン表示制御部２０２を含む。図２の（ｂ）に示すように、サーバ制御部１２１は、連携情報取得部２１２、連携表示制御部２１３及び、連携動作制御部２１４を含む。図２の（ｃ）に示すように、加湿機制御部１０１は、加湿機動作制御部２２１及び加湿機表示制御部２２２を含む。
【００３１】
加湿機動作制御部２２１は、加湿機１００の動作を制御する。具体的には、例えば操作部１０４が受け付けた操作内容、湿度センサ１０８が検知した湿度に基づき、モータ１０７及び、加湿部１０６を制御する。さらに、具体的には、例えば加湿機１００が起動した場合、操作部１０４が受け付けた操作内容を取得し、操作内容が、例えば、目標湿度３０％である場合、加湿機動作制御部２２１は、湿度センサ１０８の検知結果を取得しつつ、湿度が３０％になるように、モータ１０７及び、加湿部１０６を制御する。
【００３２】
さらに、加湿機動作制御部２２１は、後述する連携動作制御部２１４から連携動作情報が出力された場合、当該連携動作情報に基づいて、加湿機１００の動作を制御する。連携動作情報は、家電機器が他の家電機器と連携して動作する場合の動作内容を示す情報である。加湿機動作制御部２２１は、連携動作情報を受け取った場合、加湿機１００を連携動作情報に基づいた連携動作を行わせる。連携動作の詳細については、後述する。
【００３３】
また、加湿機動作制御部２２１は、家電機器（加湿機１００）と他の家電機器との連携が解消された場合、連携動作を解除する。この場合、加湿機動作制御部２２１は、連携動作前の加湿機１００の動作状態が通常動作であれば、通常動作を再開する。また、加湿機動作制御部２２１は、連携動作前の加湿機１００の動作状態が停止状態であれば、加湿機１００を停止させる。
【００３４】
加湿機表示制御部２２２は、加湿機１００の動作状態に基づいて、加湿機表示部１０５を制御する。例えば、加湿機１００が起動した場合、加湿機表示制御部２２２は、加湿機表示部１０５、例えば運転ランプを点灯させる。一方、加湿機１００が動作を停止する場合には、加湿機表示制御部２２２は、加湿機表示部１０５、運転ランプを消灯させる。
【００３５】
また、加湿機表示制御部２２２は、後述する連携表示制御部２１３から連携表示情報が出力された場合、当該連携表示情報に基づいて、加湿機表示部１０５を制御する。連携表示情報は、家電機器と他の家電機器とが連携して動作していることを示す連携表示に用いられる情報である。加湿機表示制御部２２２は、連携表示情報を受け取った場合、連携表示情報に基づいた連携表示を加湿機表示部１０５に行わせる。なお、連携表示の詳細については、後述する。
【００３６】
また、加湿機表示制御部２２２は、家電機器（加湿機１００）と他の家電機器との連携が解消された場合、加湿機表示部１０５の連携表示を解除する。この場合、加湿機表示制御部２２２は、連携動作前における加湿機表示部１０５の表示状態が通常表示、つまり加湿機１００の動作状態が通常動作であれば、通常表示を再開させる。また、加湿機表示制御部２２２は、連携動作前における加湿機表示部１０５の表示状態が消灯状態、つまり加湿機１００の動作状態が停止状態であれば、加湿器表示部１０５を消灯状態にする。
【００３７】
エアコン動作制御部２０１は、エアコン１１０の動作を制御する。エアコン１１０の動作は、例えば、暖房動作、冷房動作等である。エアコン動作制御部２０１は、記憶部１１２を参照して、リモコンからの操作指示に対応するプログラムを実行することにより、エアコン１１０の動作を制御する。具体的には、エアコン動作制御部２０１は、温度センサ１１８、及び湿度センサ１１９が提供する情報を基づいてプログラムを実行することにより、モータ１１６及び圧縮機１１７に制御信号を出力する。記憶部１１２に記憶されているプログラム等のデータは、例えば、エアコン１１０の製造時に記憶部１１２に記憶される。なお、記憶部１１２に記憶されているプログラム等のデータは、サーバ等からダウンロードされてもよい。
【００３８】
さらに、エアコン動作制御部２０１は、家電情報、及び動作状態情報を、通信部１０３を介してサーバ１２０に出力する。家電情報とは、家電器具を識別するための情報である。本実施形態では、エアコン動作制御部２０１は、家電情報として、エアコン１１０を示す情報を、サーバ１２０に出力する。動作状態情報とは、家電器具の動作状態を示す情報である。本実施形態では、エアコン動作制御部２０１は、動作状態情報として、エアコン１１０の動作状態を示す情報を、サーバ１２０に出力する。エアコン動作制御部２０１は、例えば、エアコン１１０の動作状態の変化をトリガとして、家電情報及び動作状態情報を出力する。エアコン動作制御部２０１は、例えばエアコン１１０の動作状態が変化する度に通知する。例えば、エアコン１１０が起動し暖房動作が開始される場合、エアコン動作制御部２０１は、エアコン１１０を示す家電情報及び、暖房動作を示す動作状態情報を、サーバ１２０に出力する。また、エアコン１１０がＯＦＦされる場合、エアコン動作制御部２０１は、エアコン１１０を示す家電情報、エアコン１１０の停止を示す動作状態情報を、サーバ１２０に出力する。なお、エアコン動作制御部２０１は、エアコン１１０の動作状態が変化した場合だけでなく、所定周期で家電情報及び動作状態情報を出力してもよい。
【００３９】
エアコン表示制御部２０２は、エアコン１１０の動作状態に基づいて、エアコン表示部１１５を制御する。例えば、エアコン１１０が動作を開始した場合、エアコン表示制御部２０２は、エアコン表示部１１５、例えば運転ランプを点灯させる。一方、エアコン１１０が動作を停止する場合には、加湿機表示制御部２２２は、エアコン表示部１１５、例えば運転ランプを消灯させる。
【００４０】
また、エアコン表示制御部２０２は、後述する連携表示制御部２１３から連携表示情報が出力された場合、連携表示情報に基づいて、エアコン表示部１１５を制御する。ここで、連携表示情報は、家電機器と他の家電機器とが連携して動作していることを示す連携表示に用いられる情報である。エアコン表示制御部２０２は、連携表示情報を受け取った場合、連携表示情報に基づいた連携表示をエアコン表示部１１５に行わせる。なお、連携表示の詳細については、後述する。
【００４１】
また、エアコン表示制御部２０２は、家電機器（加湿機１００）と他の家電機器（エアコン１１０）との連携が解消された場合、エアコン表示部１１５の連携表示を解除する。この場合、エアコン表示制御部２０２は、連携動作前におけるエアコン表示部１１５の表示状態が通常表示、つまり加湿機１００の動作状態が通常動作であれば、通常表示を再開させる。また、加湿機表示制御部２２２は、連携動作前における加湿機表示部１０５の表示状態が消灯状態、つまり加湿機１００の動作状態が停止状態であれば、加湿器表示部１０５を消灯状態にする。
【００４２】
連携情報取得部２１２は、他の家電機器（例えばエアコン１１０）から通知された家電情報及び動作状態情報に基づいて、記憶部１１２から連携情報を取得する。具体的には、連携情報取得部２１２は、記憶部１１２に記憶されている連携情報テーブルを参照し、家電情報及び動作状態情報に一致する連携情報を取得する。ここで連携情報は、家電情報及び動作状態情報に関連付けられた、連携家電情報、連携動作情報、及び連携表示情報を含む。連携家電情報は、家電情報が示す家電器具（他の家電機器）と連携して動作する家電器具（家電機器）を示す情報である。連携動作情報は、家電情報が示す家電器具（他の家電機器）と連携して動作する家電器具（家電機器）の連携動作の内容を示す情報である。そして、連携情報テーブルは、記憶部１１２に記憶されており、一以上の連携情報を含んでいる。図５に、連携情報テーブルの一例を示す。連携情報は、具体的には、図５の例１に示すように、例えば、エアコン１１０を示す家電情報、及び暖房動作を示す動作状態情報に関連付けて、加湿機１００を示す連携家電情報、目標湿度４０％で加湿動作させる事を示す連携動作情報及び、表示方法Ａで表示する事を示す連携表示情報が規定されている。なお、連携情報テーブルに対して、連携情報の追加、及び更新が可能であってもよい。例えば、エアコン１１０のリモコンに入力された連携情報を、エアコン１１０からサーバ１２０に送信されることにより、連携情報テーブルに連携情報が追加（又は更新）される。
【００４３】
連携表示制御部２１３は、連携情報取得部２１２が取得した連携情報に基づいて、連携家電情報が示す家電機器の表示部、及び家電情報が示す他の家電機器の他の表示部を制御する。具体的には、連携表示制御部２１３は、連携情報に含まれる連携表示情報を家電機器及び他の家電機器に出力することにより、家電機器の表示部、及び他の家電機器の他の表示部に連携表示を行わせる。例えば、家電機器が加湿機１００、他の家電機器がエアコン１１０である場合、連携表示制御部２１３は、加湿機１００及び、エアコン１１０に連携表示情報を出力する。
【００４４】
例えば、連携表示情報には、表示部に連携表示を行わせるための表示方法が含まれている。当該表示方法の形態は、表示制御部が実行するプログラムであってもよいし、表示制御部が実行するプログラムを指示する情報であってもよい。
【００４５】
加湿機１００において、連携表示情報に含まれる表示方法で加湿機表示部１０５が連携表示を行う。また、エアコン１１０において、連携表示情報に含まれる表示方法でエアコン表示部１１５が連携表示を行う。つまり、連携表示制御部２１３は、互いに連携する家電機器及び他の家電機器に対して、それぞれの表示部に同じ表示方法で連携表示を行わせる。言い換えれば、家電機器が他の家電機器と連携して動作している場合、家電機器の表示部における連携表示の表示方法は、他の家電機器の他の表示部における連携表示の表示方法と同じである。例えば、加湿機１００（家電機器）の加湿機表示部１０５（表示部）と、エアコン１１０（他の家電機器）のエアコン表示部１１５（他の表示部）とは、表示方法Ａ（後述する）で連携表示を行う。
【００４６】
加湿機表示制御部２２２は、加湿機１００（家電機器）がエアコン１１０（他の家電機器）と連携して動作している場合に、連携して動作していることを表わす連携表示を加湿機１００（家電機器）の加湿機表示部１０５（表示部）に行わせる。具体的には、加湿機表示制御部２２２は、連携表示制御部２１３からの連携表示情報に基づいて、加湿機表示部１０５に連携表示を行わせる。本実施形態では、連携表示情報には、表示方法として（第１）表示方法Ａが含まれている。表示方法Ａでは、例えば図４の（ａ）で示すように、加湿機表示制御部２２２は、加湿機表示部１０５に含まれる運転ランプの輝度をスイープさせる。具体的には、加湿機表示制御部２２２は、運転ランプの輝度を０％から１００％まで０．１秒毎に５％ずつ上昇させ、その後１００％から０％まで０．１秒毎に５％ずつ降下させる動作を１周期として繰り返す。なお、表示方法は表示方法Ａに限定されない。例えば、加湿機表示部１０５が、上述したダスト表示器を含む場合、連携表示として、例えば、ホコリのレベルに対応した数まで点灯させるＬＥＤを１つずつ増加させた後、すべてのＬＥＤを消灯させる、という動作を繰り返すように構成されていてもよい。また、加湿機表示部１０５が複数の表示部（例えばＬＥＤ）を備えている場合、連携表示情報は、いずれの表示部に連携表示を行わせるかを示す情報を含むように構成してもよい。
【００４７】
また、エアコン１１０が停止された場合には、図５の例２に示すように、連携情報の連携表示情報は、連携表示の解除を示すので、加湿機表示制御部２２２は、加湿機表示部１０５の連携表示を解除する。このとき、連携動作前における加湿機表示部１０５の表示状態が通常表示、つまり加湿機１００の動作状態が通常動作であれば、加湿機表示制御部２２２は、通常表示を再開させる。なお、本実施形態では、連携表示の解除指示は、連携表示情報として加湿機１００に出力されているが、これに限らず、連携表示情報とは別に出力されてもよい。
【００４８】
エアコン表示制御部２０２は、加湿機表示制御部２２２と同様に、連携表示制御部２１３からの連携表示情報に基づいて、エアコン表示部１１５に連携表示を行わせる。具体的には、エアコン表示制御部２０２は、連携表示制御部２１３からの連携表示情報に基づいて、エアコン表示部１１５に表示方法Ａで連携表示を行わせる。
【００４９】
連携動作制御部２１４は、連携情報取得部２１２が取得した連携情報に基づいて、他の家電機器と連携して動作する家電機器の動作を制御する。具体的には、連携情報取得部２１２が取得した連携情報の連携家電情報が示す家電機器、例えば加湿機１００に連携動作情報を出力することにより、加湿機１００を制御する。
【００５０】
加湿機動作制御部２２１は、連携動作制御部２１４が通知する連携動作情報を取得し、連携動作情報に基づき、加湿機１００を制御する。具体的には、例えば、エアコン１１０が暖房動作する場合には、図５の例１に示すように、連携情報の連携動作情報は、目標湿度４０％で加湿動作させる事を示す。したがって、加湿機動作制御部２２１は、湿度センサ１０８が検知した湿度が４０％となるように、モータ１０７、加湿部１０６を制御する。また、エアコン１１０が停止された場合には、図５の例２に示すように、連携情報の連携動作情報は、連携動作の解除を示すので、加湿機動作制御部２２１は、加湿機１００の連携動作を解除する。このとき、連携動作前の加湿機１００の動作状態が停止であれば、加湿機動作制御部２２１は、モータ１０７及び加湿部１０６を停止させる。なお、本実施形態では、連携動作の解除指示は、連携動作情報として加湿機１００に出力されているが、これに限らず、連携動作情報とは別に出力されてもよい。
【００５１】
なお、図２に示したエアコン制御部１１１、サーバ制御部１２１及び、加湿機制御部１０１の機能的構成は、一例であって、これに限定されるものではない。
【００５２】
図３は、本実施形態における処理フローの一例を示す図である。本処理フローは、エアコン１１０が動作を開始し、加湿機１００がエアコン１１０と連携する動作を開始し、エアコン１１０及び加湿機１００の表示部が連携を表わす表示を行い、連携が解除するまでのフローについて説明するものである。
【００５３】
まず、エアコン動作制御部２０１は、例えばエアコン１１０が起動されると、エアコン１１０の動作を開始させる（Ｓ１０１）。ここでは、エアコン１１０が暖房動作を開始するとする。さらに、エアコン動作制御部２０１は、家電情報及び、動作状態情報をサーバ１２０に通知する（Ｓ１０２）。具体的には、例えばエアコン１１０が暖房動作する場合には、図５に示すように、当該エアコン１１０を示す家電情報及び、暖房動作を示す動作状態情報を通知する。
【００５４】
次に、連携情報取得部２１２は、Ｓ１０２において通知された家電情報及び動作状態情報取得すると、連携情報テーブルを参照し、取得した家電情報及び動作状態情報が一致する連携情報を取得する（Ｓ１０３）。具体的には、例えばエアコン１１０が暖房動作する場合には、図５の例１に示すように、連携情報として、加湿機１００を示す連携家電情報、目標湿度４０％で加湿動作する事を示す連携動作情報及び、表示方法Ａを示す連携表示情報を取得する。
【００５５】
連携動作制御部２１４は、Ｓ１０３で取得した連携情報に基づいて他の家電機器（エアコン１１０）と連携して動作する連携家電である家電機器（加湿機１００）の動作を制御する（Ｓ１０４）。
【００５６】
加湿機動作制御部２２１は、連携動作情報に基づき、加湿機１００を制御する（Ｓ１０５）。具体的には、例えばエアコン１１０が暖房動作する場合には、図５の例１に示すように、連携動作情報は、目標湿度４０％で加湿動作させる事を示す。したがって、加湿機動作制御部２２１は、湿度センサ１０８が検知した湿度が４０％となるように、モータ１０７、加湿部１０６を制御する。
【００５７】
次に、連携表示制御部２１３は、連携表示情報に基づいて他の家電機器（エアコン１１０）と連携して動作する家電機器（加湿機１００）の表示部を制御する（Ｓ１０６）。具体的には、連携表示制御部２１３は、取得した連携情報の連携家電情報が示す家電機器（加湿機１００）に、連携表示情報を通知し、家電機器（加湿機１００）の表示部（加湿機表示部１０５）を制御する。さらに、連携表示制御部２１３は、家電情報が示す他の家電機器（エアコン１１０）にも、家電機器（加湿機１００）に通知した連携表示情報と同じ連携表示情報を通知する（Ｓ１０７）。なお、ステップＳ１０６とステップＳ１０７はいずれを先に行ってもよいし、同時に行ってもよい。また、ステップ１０４とステップＳ１０６とを同時に行ってもよい、つまり、連携動作情報と連携表示情報とを同じタイミングで通知してもよい。
【００５８】
加湿機表示制御部２２２は、連携表示情報が示す表示方法で、加湿機表示部１０５を制御する（Ｓ１０８）。具体的には、例えばエアコン１１０が暖房動作する場合には、図５に示すように、表示方法Ａを示す連携表示情報に基づき、加湿機表示制御部２２２は、図４（ａ）で示した表示方法Ａで運転ランプ（加湿機表示部１０５）を制御することにより、加湿機表示部１０５に連携表示を行わせる。
【００５９】
一方、エアコン表示制御部２０２は、連携表示情報が示す表示方法で、エアコン表示部１１５を制御する（Ｓ１０９）。具体的には、例えばエアコン１１０が暖房動作する場合には、図５に示すように、表示方法Ａを示す連携表示情報に基づき、エアコン表示制御部２０２は、図４（ａ）で示した表示方法Ａで運転ランプを制御する信号を出力することにより、エアコン表示部１１５を表示方法Ａで連携表示させる。従って、加湿機１００（家電機器）の加湿機表示部１０５（表示部）と、エアコン１１０（他の家電機器）のエアコン表示部１１５（他の表示部）とが、同じ表示方法（表示方法Ａ）で連携表示を行う。
【００６０】
また、エアコン動作制御部２０１は、例えば、リモコンから停止信号を受信すると、家電情報及び、動作状態情報をサーバ１２０に通知（Ｓ１１０）した後、エアコン１１０の動作を停止（Ｓ１１１）。具体的には、ステップＳ１１０において、例えば、エアコン動作制御部２０１は、エアコン１１０を表わす家電情報、動作停止を表わす動作状態情報をサーバ１２０に通知する。
【００６１】
次に、連携情報取得部２１２は、Ｓ１１０において通知された家電情報及び動作状態情報取得すると、連携情報テーブルを参照し、取得した家電情報及び動作状態情報が一致する連携情報を取得する（Ｓ１１２）。具体的には、例えばエアコン１１０が停止される場合には、図５に示すように、家電情報はエアコン１１０を示し、動作状態情報は停止を示す。したがって、連携情報として、加湿機１００を示す連携家電情報、連携動作の解除を示す連携動作情報、連携表示の解除を示す連携表示情報を取得する。
【００６２】
そして、連携動作制御部２１４は、取得した連携情報の連携家電情報が示す連携家電である家電機器（加湿機１００）に、連携動作情報を通知する（Ｓ１１３）。具体的には、例えばエアコン１１０が停止される場合には、図５の例２に示すように、連携家電情報は加湿機１００を示す。したがって、連携動作制御部２１４は、加湿機１００に連携動作の解除を示す連携動作情報を通知する。
【００６３】
そして、加湿機動作制御部２２１は、Ｓ１１３において通知された連携動作情報を取得し、当該連携動作情報に基づき、加湿機１００を動作させる（Ｓ１１４）。具体的には、図５の例２に示すように、連携動作情報は連携動作の解除を示すので、加湿機動作制御部２２１は、加湿機１００の連携動作を解除させる。
【００６４】
そして、連携表示制御部２１３は、取得した連携情報の連携家電情報が示す連携家電である家電機器（加湿機１００）に、連携表示情報を通知する（Ｓ１１５）。具体的には、例えばエアコン１１０が停止される場合には、図５に示すように、連携家電情報は加湿機１００を示し、連携表示情報は連携表示の解除を示すので、連携表示制御部２１３は、加湿機１００に連携表示の解除を示す連携動作情報を通知する。
【００６５】
さらに、加湿機表示制御部２２２は、Ｓ１１５において通知された連携表示情報を取得し、当該連携表示情報に基づいて、加湿機表示部１０５を制御する（Ｓ１１６）。具体的には、例えばエアコン１１０が停止される場合には、図５に示すように、連携表示情報は連携動作の解除を示す。したがって、加湿機表示制御部２２２は、加湿機表示部１０５の連携表示を解除する。
【００６６】
本実施形態によれば、エアコン１１０と加湿機１００は、同じ連携表示情報が通知され、当該連携表示情報に基づきエアコン１１０と加湿機１００の表示部を制御し、同じ表示方法で表示を行う。これにより、ユーザはエアコン１１０と加湿機１００が連携して動作していることを知り得る。さらに、運転ランプ等の同じ表示部に表示することで、ユーザはより容易に連携して動作していることを知り得る。また、スマートフォン等を見なくても連携している事を知り得る。さらに、運転ランプのような既存の表示部に連携していることを示す表示をすることができるので、加湿機１００のような既存の形態の家電機器に新たに連携を表示する表示部を設けることが難しい家電機器であっても、連携して動作していることを知り得る。なお、同じ表示方法には、ユーザが連携していることが認識できる程度の差があってもよい。例えば、一方が、赤色の表示、他方が緑色の表示であってもよい。また同じ表示部は、ユーザが共通の意味合いであると認識できる程度の差があってもよい。例えば、一方が運転ランプであり、他方が、電源ランプであってもよい。
【００６７】
なお、図３に示した制御フローは、一例であって、これに限定されるものではない。
＜変形例＞
【００６８】
上述した第１の実施形態では、エアコン１１０と加湿機１００が連携する場合について説明したがこれに限定されるものではない。例えばテレビとエアコン１１０と加湿機１００とが連携するように構成してもよい。この場合、図５の例３に示すように、連携情報は、例えば、テレビを示す家電情報及び、テレビの起動を示す動作状態情報に関連付けて、加湿機１００及びエアコン１１０を示す連携家電情報、静音動作を示す連携動作情報及び、表示方法Ｂを示す連携表示情報を設定してもよい。ここで表示方法Ｂは、例えば、図４（ｂ）に示すように「運転ランプに、輝度を０％で２秒間、１００％で２秒間動作させ、これを繰り返す表示をする。」である。一方、テレビが停止される場合には、例えば、図５の例４に示すように、連携情報は、テレビを示す家電情報及び、停止を示す動作状態情報に関連付けて、加湿機１００及びエアコン１１０を示す連携家電情報、連携動作の解除を示す連携動作情報及び、連携表示の解除を示す連携表示情報を設定してもよい。当該例３、例４では、テレビが起動すると、連携動作として加湿機１００及びエアコン１１０が静音動作し、運転ランプが表示方法Ｂで連携表示する。そして、テレビが停止すると、加湿機１００及びエアコン１１０が静音動作（連携動作）を解除し、運転ランプが連携表示を解除する。
【００６９】
本発明は、種々の変形が可能である。例えば、上述の構成と実質的に同一の構成、同一の作用効果を奏する構成又は同一の目的を達成することができる構成で置き換えることができる。
【００７０】
例えば、上記では、サーバ１２０に連携動作、連携表示を制御する制御部（サーバ制御部１２１）を設けていたが、これに限定されず、制御部をエアコン１１０に設けてもよいし、加湿機１００に設けてもよい。当該場合には、サーバ１２０を設けなくてもよい。
【００７１】
また、加湿機１００が連携する動作を開始した後、加湿機１００が動作を開始したことを表わす情報（以下「加湿機動作開始情報」という。）を、エアコン１１０にサーバを介しまたは直接通知してもよい。エアコン１１０は加湿機動作開始情報を取得した場合に、エアコン表示部１１５が連携していることを示す表示をするように構成してもよい。何等かの原因により加湿機１００の動作を開始することができず、加湿機１００が連携する動作ができないにも関わらす、エアコン表示部１１５のみが連携して動作していることを表わす表示をしてしまうことを防止し得る。
【符号の説明】
【００７２】
１・・・家電機器システム、１００・・・加湿機、１１０・・・エアコン、１２０・・・サーバ、１３０・・・ネットワーク、１０１・・・加湿機制御部、１０２・・・記憶部、１０３・・・通信部、１０４・・・操作部、１０５・・・加湿機表示部、１０６・・・加湿部、１０７・・・モータ、１０８・・・湿度センサ、１０９・・・本体、１１１・・・エアコン制御部、１１２・・・記憶部、１１３・・・通信部、１１４・・・受信部、１１５・・・エアコン表示部、１１６・・・モータ、１１７・・・圧縮機、１１８・・・温度センサ、１１９・・・湿度センサ、１２１・・・サーバ制御部、１２２・・・記憶部、１２３・・・通信部、２０１・・・エアコン動作制御部、２０２・・・エアコン表示制御部、２１２・・・連携情報取得部、２１３・・・連携表示制御部、２１４・・・連携動作制御部、２２１・・・加湿機動作制御部、２２２・・・加湿機表示制御部
【図１】
2020191023.tif 000003
【図２】
2020191023.tif 000004
【図３】
2020191023.tif 000005
【図４】
2020191023.tif 000006
【図５】
2020191023.tif 000007